(57)【要約】【課題】  熱交換器等からの排出エネルギーを有効に利用して、システムの熱効率を向上させ、経済的な温度調整システムを提供することを目的とする。【解決手段】  空気を熱交換して冷／温気として排出する熱交換手段によって環境温度を変化させる温度調整システムであって、該熱交換手段にて現出される熱交換後の空気を該熱交換手段の一部に再供給する。すなわち、冷媒経路を介して接続されるコンプレッサ１３と、コンデンサ１４と、エバポレータ２３とを備え、該コンプレッサ１３およびコンデンサ１４が配設される第一筐体１０と、該エバポレータ２３が配設される第二筐体１６とが構成され、該第一筐体１０および第二筐体１６間に介設された通風孔３０によって、前記エバポレータ２３によって冷却された冷却空気を、第二筐体１６から第一筐体１０に送出する。【選択図】図３
2005180768.tif 000002
【特許請求の範囲】
【請求項１】
空気を熱交換して冷／温気として排出する熱交換手段によって環境温度を変化させる温度調整システムであって、該熱交換手段にて排出される熱交換後の空気を、該熱交換手段の一部に再供給することを特徴とする温度調整システム。
【請求項２】
前記熱交換手段は、冷媒経路を介して接続されるコンプレッサと、コンデンサと、エバポレータとを備え、該コンプレッサおよびコンデンサが配設される第一筐体と、該エバポレータが配設される第二筐体とが構成され、該第一筐体および第二筐体間に介設された冷却空気の送出手段によって、前記エバポレータによって冷却された冷却空気を、第二筐体から第一筐体に送出することを特徴とする請求項１記載の温度調整システム。
【請求項３】
前記エバポレータによって排出された冷却空気による冷却熱を伝熱する伝熱手段によって、コンプレッサおよびコンデンサを冷却することを特徴とする請求項２載の温度調整システム。
【請求項４】
前記熱交換手段は、冷媒経路を介して接続されるコンプレッサと、熱交換器とを備え、該コンプレッサと該熱交換器が配設される室外ユニットと、該熱交換器が配設される室内ユニットとが構成され、室外ユニットおよび室内ユニットに介設された空気の送出手段によって、該熱交換器によって排出された冷却もしくは加熱空気を、室外ユニットおよび室内ユニット間相互に送出することを特徴とする請求項１記載の温度調整システム。
【発明の詳細な説明】
【技術分野】
【０００１】
本発明は、温度調整システムの技術に関し、より詳細には、熱交換手段によって排出される冷風もしくは温風を利用して、熱効率を高め、優れた経済性を有する温度調整技術に関するものである。
【背景技術】
【０００２】
家庭用あるいは業務用の冷蔵庫や冷暖房装置等を運転して環境温度を調節するシステムには、流体間の熱交換を利用する複数の工程を順に繰り返し連続的に実施する技術が一般的に利用されている。このような温度調整システムは、通常、配管を介し互いに接続されて、閉ループシステムを形成する部品、すなわちコンプレッサ、コンデンサ等が連続して接続されている。
【０００３】
ここで、一般には、冷媒の熱交換を利用した工程は、（１）高圧下にて液状とされた冷媒を内部が低圧雰囲気とされたエバポレータ内に噴射することによって霧化冷却し、この冷却された霧化物を内部に収容する該エバポレータの外側表面を、その周囲の通風気体等と接触させることにより熱交換器を介して該流体を冷却する工程；（２）該冷却工程での熱交換器により相対的に高温となった上記霧化物（気体）を、ラインを介してコンプレッサに供給する工程、コンプレッサ内部にて、供給された該霧化物（気体の冷媒）を加圧圧縮して高温高圧の霧化物（液状の冷媒）を生成させる工程；（３）高温高圧とされた霧化物（液状の冷媒）をコンデンサに供給する工程；（４）コンデンサ内に供給された高温高圧の霧化物（液状の冷媒）を、該コンデンサを、その外側の通風気体等と接触させることにより、熱交換を介して冷却して、液体とする工程；（５）該液体を、ラインを介してエバポレータに供給する工程、とからなる。
【０００４】
この種の温度調整システムにおいて、商品冷却用の冷蔵庫や店舗内ショーケース等は、コンプレッサによって圧縮された冷媒がコンデンサを経由し膨張されて商品冷却用のエバポレータに循環されることにより冷却を行うようにしている。そしてこの冷却装置のコンプレッサとコンデンサは、一体に設置されて屋内の空気と熱交換させるものと、屋外に設置され屋外の空気と熱交換させるものとがある。また、冷暖房装置等は、コンプレッサによって圧縮された冷媒の経路を例えば四方弁によって切換えて、圧縮された冷媒が室外ユニットの熱交換器を経由し膨張されて室内ユニットの熱交換器に循環されることにより冷房を行い、或は圧縮された冷媒が室内ユニットの熱交換器を経由し膨張されて室外ユニットの熱交換器に循環されることにより暖房が行われる。
【０００５】
このような観点から、例えば、特許文献１においては、コンデンサの断面が同心円状の二重構造を構成するように形成された冷却パイプを備えるもので、該冷却パイプがコンプレッサにより圧縮された冷媒ガスが通る内側パイプと、該内側パイプの外側に設けられ、エバポレータで熱交換された後の戻り冷媒ガスが通る外側パイプとを有するものが提案されている。かかる構造とすることで、コンデンサが備え付けられる場所や外気温度の上昇に関わらず、冷媒ガスが液化できなくなるのを防止することができる（特許文献１参照）。
【０００６】
【特許文献１】特開２００２−２２３１２号公報
【発明の開示】
【発明が解決しようとする課題】
【０００７】
ところで、従来の温度調整システムは、夏場にオーバーヒートしたり、冬場において外気が低いと冷凍能力が低下したりして、冷蔵庫内を充分に冷やすことができなかった。これは、例えば、地下室や倉庫等の風通しの悪いところにコンデンサ等が配設されると、周囲の外気温度が非常に高くなり、ファンでコンデンサや冷却パイプ内の冷媒を充分に液化させることができない場合があったからである。また、該コンデンサ等が筐体に配設されている場合には、該筐体内温度が向上して、同様に、冷媒を充分に液化させることができず、さらに、コンプレッサ等がオーバーヒートにより急停止してしまい、この場合には、温度調整システム全体が停止してしまう場合があった。
【０００８】
かかる観点から、場所や外気温度の上昇に関わらず、安定した運転を可能とするために、上記特許文献１は、コンデンサに熱交換後の冷媒を循環させるものであるが、コンデンサのみならず液化した冷媒が通過する冷媒経路において冷媒が高温となるため、該コンデンサのみの冷却を行うだけでは、充分ではなかった。
【０００９】
また、従来の冷暖房装置においても、同様に、室内機および室外機を冷暖房の必要な期間中絶えず運転させておくものであり、酷暑の夏季や厳冬の冬季においては、必要電力が極めて大きくなり、エネルギー消費の増大、ひいては地球温暖化等の深刻な環境問題を惹起するものであった。
【００１０】
そこで、本発明においては、温度調整システムに関し、前記従来の課題を解決するもので、熱交換器等からの排出エネルギーを有効に利用して、システムの熱効率を向上させ、経済的な温度調整システムを提供することを目的とするものである。
【課題を解決するための手段】
【００１１】
本発明の解決しようとする課題は以上の如くであり、次にこの課題を解決するための手段を説明する。
【００１２】
すなわち、請求項１においては、空気を熱交換して冷／温気として排出する熱交換手段によって環境温度を変化させる温度調整システムであって、該熱交換手段にて排出される熱交換後の空気を、該熱交換手段の一部に再供給するものである。
【００１３】
請求項２においては、請求項１において、前記熱交換手段は、冷媒経路を介して接続されるコンプレッサと、コンデンサと、エバポレータとを備え、該コンプレッサおよびコンデンサが配設される第一筐体と、該エバポレータが配設される第二筐体とが構成され、該第一筐体および第二筐体間に介設された冷却空気の送出手段によって、前記エバポレータによって冷却された冷却空気を、第二筐体から第一筐体に送出するものである。
【００１４】
請求項３においては、請求項２において、前記エバポレータによって排出された冷却空気による冷却熱を伝熱する伝熱手段によって、コンプレッサおよびコンデンサを冷却するものである。
【００１５】
請求項４においては、請求項１において、前記熱交換手段は、冷媒経路を介して接続されるコンプレッサと、熱交換器とを備え、該コンプレッサと該熱交換器が配設される室外ユニットと、該熱交換器が配設される室内ユニットとが構成され、室外ユニットおよび室内ユニットに介設された空気の送出手段によって、該熱交換器によって排出された冷却もしくは加熱空気を、室外ユニットおよび室内ユニット間相互に送出するものである。
【発明の効果】
【００１６】
本発明の効果として、以下に示すような効果を奏する。
【００１７】
請求項１に示す構成としたので、必要な電力を減らし、エネルギー消費の少ない温度調整システムを構築することができる。
【００１８】
請求項２に示す構成としたので、直接コンデンサ等を冷却させ、該コンデンサの冷却効果を向上させて、温度調節システムの冷却効率を高めることができる。
【００１９】
請求項３に示す構成としたので、冷却熱を間接的に効率よく利用することができ、温度調節システムの冷却効率をより高めることができる。
【００２０】
請求項４に示す構成としたので、コンプレッサの運転時間を短縮し、その分、必要な電力を減らし、エネルギー消費の少ない温度調整システムを構築することができる。また、該熱交換器の冷却効果を向上させて、冷房および暖房効率を高めることができる。
【発明を実施するための最良の形態】
【００２１】
次に、発明の実施の形態を説明する。
図１は本発明の第一実施例に係る冷蔵庫の全体的な構成を示した斜視図、図２ユニット体の構成を示した斜視図、図３は冷蔵庫内の空気の流れを示した上部側断面図、図４はユニット体の空気の流れを示した平面図、図５は伝熱部材を配設した冷蔵庫の正面断面図、図６は熱源を配置した冷蔵庫内の上部側断面図である。図７は本発明の第二実施例に係る冷暖房装置の全体的な構成を示した図である。
【００２２】
（第一実施例）
図１は、第一実施例に係る温度管理システムとして、縦型冷蔵庫１を示したものである。該冷蔵庫１は、複数に区画された冷蔵室１１・１１・・・（本実施例において４室）が形成される第一筐体１０と、熱交換手段としての、冷却ファン１２、コンプレッサ１３、コンデンサ１４等からなるユニット体１５が配設される第二筐体１６とが構成されている。該第一筐体１０の前面に、左右両開きのドア１７・１７が左右回動可能に配設され、該ドア１７・１７を閉めた状態において、該第一筐体１０の前方開口縁部に施設された弾性を有する樹脂で形成されたフレームヒータ１８と密着して、冷蔵室１１・１１・・・内の冷却空気が第一筐体１０の前面から漏れないような構成とされている。前記第二筐体１６は、該第一筐体１０の上平面１０ａを覆うように被覆されたグリル１９によって外周面をフレーム形成されている。
【００２３】
図２に示すように、前記ユニット体１５は、冷却ファン１２、コンデンサ１４、コンデンサファン２０、コンプレッサ１３がそれぞれ順に配置されて、該コンデンサ１４の後方であってコンデンサファン２０の左右に、それぞれドライヤ２１、電気ボックス２２および該コンプレッサ１３とコンデンサ１４とを接続するディスチャージパイプ（図略）等が配設されている。また、該コンデンサ１４は、後述するエバポレータ２３と図示せぬ冷媒経路を介して接続され、該エバポレータ２３は、かかる冷却経路を介してコンプレッサ１３と接続されて、冷凍サイクルが形成されている。該ユニット体１５は、冷却ファン１２が冷蔵庫１本体の前面に位置するように前記第二筐体１６内に配設される。
【００２４】
図３に示すように、第一筐体１０の冷蔵室１１・１１・・・には、前記上平面１０ａの内側面に熱交換手段としてのエバポレータ２３および冷気循環用ファン２４が配設され、該エバポレータ２３および冷気循環用ファン２４を覆うようにカバー２５が配設されている。該カバー２５には、該冷気循環用ファン２４の近傍に空気吸入口２６が穿設され、一方で、該エバポレータ２３の後方であって該カバー２５の端部付近に空気排出口２７が穿設されている。なお、エバポレータ２３としては、アルミロールボンド式、アルミフィンチューブ式およびワイヤチューブ式等を適用することができる。
【００２５】
冷蔵庫１が冷蔵運転時には、コンプレッサ１３で圧縮された高温の冷媒ガスがコンデンサ１４によって凝縮された後、キャピラリチューブ（図略）または減圧弁によって減圧されてエバポレータ２３に送られる。かかる冷媒は、該エバポレータ２３内で蒸発（気化）し、冷蔵室１１・１１・・・内の空気が、冷気循環用ファン２４によって空気吸入口２６からエバポレータ２３に送られ、熱交換されて冷却された後、再び空気排出口２７を介して、冷蔵室１１・１１・・・内に送出される。このようにして、冷蔵室１１・１１・・・内の空気が冷却される冷凍サイクルが形成されている。
【００２６】
かかる冷凍サイクルでは、前記コンプレッサ１３やコンデンサ１４は、圧縮駆動と冷媒が高圧ガス化されることによって放熱されるため、該コンプレッサ１３やコンデンサ１４が配設される第二筐体１６内の温度が上昇される。そのため、前記コンデンサファン２０によって、グリル１９の前方に穿設された外気吸入口２８を介して該第二筐体１６内に外気が吸入されて、該コンデンサ１４等を冷却し、その後かかる外気が第二筐体１６の後方に送られて、該グリル１９の後方に穿設された外気排出口２９から第二筐体１６外に送出される。なお、該コンデンサファン２０は必ずしも配設する必要はない。詳細は後述のとおりである。
【００２７】
本実施例においては、該コンデンサファン２０に加えて、コンデンサ１４の前方にユニット体１５全体を冷却して第一筐体１６に冷却空気を循環させる前記冷却ファン１２を備えるとともに、該冷却ファン１２の前方であって前記第一筐体１０の上平面１０ａに、冷却空気の送出手段である通風孔３０が貫設されている。該通風孔３０は、開口部が外冷蔵庫１の短手方向に沿って平面視長板状に形成され、該通風孔３０を介して冷蔵室１１・１１・・・内と第二筐体１６内とが連通される。
【００２８】
該冷却ファン１２は、前記コンデンサファン２０よりも容積が大きく、そのため送風量が多く、該冷却ファン１２を運転させることによって、図３および図４に示す矢印のように、該通風孔３０を介して、冷蔵室１１・１１・・・内の冷却空気が第二筐体１６内に吸入され、かつ、かかる冷却空気を、ユニット体１５のコンデンサ１４やコンプレッサ１３等の各機器に満遍なく流すことによってこれらを冷却しつつ、第二筐体１６内部の環境温度を全体として下げながら、外気排出口２９まで送出させることができるのである。
【００２９】
このように、本実施例における冷蔵庫１は、冷凍サイクルにおける吸熱反応によって熱交換した後の冷却空気を、前記通風孔３０を介してコンデンサ１４やコンプレッサ１３に再供給するような構成として、冷却熱等の排熱エネルギーを直接的に利用するようにしている。該コンデンサ１４等の熱交換手段によって排出される冷却空気を、コンデンサ１４等にあてることによって、冷蔵庫１外部の環境温度に関わらずに効率よく、該冷蔵庫１内の環境温度を調節することができる。
【００３０】
例えば、従来の冷蔵庫１は、夏場にコンデンサ１４等から暖気が排出されると第二筐体１６内の温度が上昇し、コンデンサ１４等に外気をあてて冷却しても、充分に圧縮冷媒ガスを液化させることができず、コンデンサ１４の冷却効果が減少し、エバポレータ２３による熱効率が下がり、冷蔵室１１・１１・・・内の商品を充分に冷蔵するだけの冷却空気を排出することができない場合があった。また、コンデンサ１４やコンプレッサ１３周囲の温度が高くなり、所望の温度まで冷却するには、コンプレッサ１３の回転数を上げたり、駆動時間を長くする必要があるが、冷却風自体の温度が高くなり、コンプレッサ１３やコンデンサ１４自体の温度と周囲の温度が殆ど変わらなくなるため、コンプレッサ１３をいくら駆動しても庫内の温度は一定値以上下がらず、駆動効率が低下するばかりでなく、モータ自体が高温となり、焼けてしまうおそれもあった。そのため、店舗内の室温を下げることで第二筐体１６内のコンデンサ１４等を間接的に冷却させる等しなければならなかった。
【００３１】
本実施例においては、エバポレータ２３によって充分に冷却された冷却空気を第二筐体１６内に送出して、直接コンデンサ１４およびコンプレッサ１３を冷却させることにより、該コンデンサ１４の冷却効果を向上させて、冷蔵室１１・１１・・・を冷却するのに十分以上の能力を持つことにより、冷却効率を高めることができる。また、コンプレッサ１３の運転時間を短縮し、その分、必要な電力を減らし、エネルギー消費の少ない温度調整システムを構築することができる。また、コンプレッサ１３やコンプレッサ１３を駆動するモータを必要以上に高温とすることがないため、劣化が抑えられ寿命を長くすることができるのである。
【００３２】
なお、冷却ファン１２はユニット体１５の前方に配置させるものであるが、かかる配置に限定されるものではない。すなわち、コンプレッサ１３の前・後方向や側方等でもよい。本実施例においては、第二筐体１６内に、冷却空気を送入させることによって、コンデンサ１４を始めとした機器全体を冷却するように構成するものであるため、該冷却ファン１２によって、第二筐体１６に冷却空気が偏りなく還流されるように構成すればよいのである。特に、コンデンサ１４において、冷媒を充分に冷却させると冷蔵能力が向上するとされており、該コンデンサ１４近傍に配設するのが好ましい。
【００３３】
通風孔３０の開口部の大きさや形状等は、冷蔵庫１の形状や大きさ等によって適宜変更可能である。また、該開口部においては、第二筐体１６の室内温度や、コンデンサ１４等の各機器の表面温度に応じて、これらを冷却しすぎることで熱効率をかえって低減させることないように、開閉可能としてもよい。かかる場合には、該通風孔３０の開閉操作によって、冷蔵室１１・１１・・・から供給される冷却空気の量を制御して、第二筐体１６の環境温度を容易に調節することができる。
【００３４】
さらに、第二筐体１６内に温度センサを配置して制御手段と接続し、前記通風孔３０の開口の大きさを変更するシャッターを設け、該シャッターをソレノイド等のアクチュエーターで開閉可能に駆動し、該アクチュエーターを前記制御手段と接続して、第二筐体１６の周囲温度が低い場合にはシャッターを閉じて庫内の冷気が無駄に漏れないようにし、第二筐体１６の周囲温度が設定温度より低くなると、シャッターを開けて庫内の冷気をコンプレッサ１３やコンデンサ１４に当てて冷却するように構成することもできる。
【００３５】
図５に示す冷蔵庫１は、冷却熱の伝熱手段としての伝熱部材３１が、前記第二筐体１６の内部壁面に沿って前記ユニット体１５を覆うように構成されている。該伝熱部材３１は、ステンレス等の伝熱性の高い材料で作製され、前記上平面１０ａに当接する下端の一部である突出部３１ａが、該上平面１０ａに穿設される貫通孔３２を介して、第一筐体１０の冷蔵室１１・１１・・・内に突出されている。該第一筐体１０内に突出された突出部３１ａは、冷蔵室１１・１１・・・において、上述の冷凍サイクルによって排出された冷却空気によって冷却され、かかる冷却熱によって、該突出部３１ａを介して該伝熱部材３１の全体が冷却される。
【００３６】
このような構成とすることで、該伝熱部材３１に周囲を覆われたユニット体１５近傍の環境温度は下がり、該ユニット体１５を構成する前記コンデンサ１４やコンプレッサ１３等をそれぞれ同時にかつ効率よく冷却することができる。すなわち、該伝熱部材３１を設けることによって、冷却熱を間接的に利用することができ、コンデンサ１４等が充分に冷却されることで、該冷蔵庫１の冷却効率をより高めることができる。
【００３７】
前記グリル１９は、断熱性材料で作製されるのが、冷却空気による熱効率を高めることができる点で好ましい。冷蔵庫１の運転を停止しても、第二筐体１６内の環境温度を維持することができる。また、該グリル１９の前方および後方に穿設される前記外気吸入口２８および外気排出口２９の開口部分を小さくして、該第二筐体１６内外の換気に必要限度にすることで、より冷却効果を高めることができる。さらに、前記通風孔３０は、設けても設けなくてもよい。
【００３８】
前記突出部３１ａは、上下摺動することによって該貫通孔３２に挿脱可能とされ、該突出部３１ａの摺動操作は、図示せぬレバー等によってオペレータによる手動としてもよく、第二筐体１６内の環境温度、もしくは伝熱部材３１の表面温度に連動するように自動制御させることも可能である。すなわち、該第一筐体１０該伝熱部材３１の表面温度が、外部センサ等によって設定温度以下となると、該突出部３１ａを、手動または自動制御された駆動手段によって第一筐体１０内部から脱出させることで、該第二筐体１６内の環境温度やユニット体１５が過冷却となるのを避けることができる。
【００３９】
また、図６に示すように、冬場に第一筐体１０内の温度が低くなってコンプレッサ１３の潤滑油温度が低下すると、潤滑油の粘度が高くなって流動性が悪くなってしまう場合がある。そして、潤滑油の粘度が高くなると、コンプレッサ１３のシャフトやクラッチ等の動きが制限されてしまい、冷蔵庫１の冷蔵能力が低下してしまう。そこで、第一筐体１０内において、ユニット体１５のコンプレッサ１３の近傍であって、該コンプレッサ１３に対して前記冷却ファン１２による通風の上流側に位置するように、熱源３３を配置してもよい。このような構成とすることで、第一筐体１０内の温度が低下した場合でも、該熱源３３によってコンプレッサ１３近傍を集中して暖めることによって該コンプレッサ１３の潤滑油温度を調節することができ、冬場であっても冷蔵能力を損なうことがない。
【００４０】
なお、熱源としては、いわゆる加熱を目的とするものに限らず、例えば、電球等を代用することも可能である。また、該熱源３３の温度調節手段としては、手動スイッチや、温度センサによる自動制御などによって、適宜構成することが可能である。
【００４１】
以上において、本実施例に示す冷蔵庫１は、ユニット体１５とエバポレータ２３とが、それぞれ第一筐体１０および第二筐体１６に一体に配置されたものであるが、該第一筐体１０および第二筐体１６がそれぞれ別位置に配設される場合であっても、各筐体間に冷却空気を送出する接続経路等を介設することで同様の効果を奏することができる。
【００４２】
（第二実施例）
図７は、第二実施例に係る温度管理システムとして、熱交換手段たる室外ユニット１１０および室内ユニット１１１からなる冷暖房装置１００を示したものであり、該室外ユニット１１０は、コンプレッサ１１３、室外熱交換器１１４ａ、該室外熱交換器１１４ａ用の冷却ファン１２０、四方弁１１５、キャピラリチューブ１１６等から構成されている。該コンプレッサ１１３等は、該四方弁１１５を介して相互に冷媒経路１１７・１１７・・・によって連続して接続されている。該四方弁１１５は、ソレノイド弁よりなる開閉弁であり、該冷暖房装置１００の冷房運転および暖房運転の切り替えによって、冷媒経路１１７・１１７・・・の経路を切り替える。該室内ユニット１１１は、室内熱交換器１１４ｂ、室内ファン１１８等から構成されている。そして、該室外ユニット１１０および室内ユニット１１１は、相互に冷媒回路１１７・１１７を介して連続して接続されている。１１２は、家屋の外壁である。
【００４３】
冷暖房装置１００が冷房運転される場合には、コンプレッサ１１３で圧縮された高温の冷媒ガスが室外熱交換器１１４ａによって凝縮された後、キャピラリチューブ１１６によって減圧されて室内熱交換器１１４ｂに送られるように、前記四方弁１１５が切り替えられる。そして、冷媒が室内熱交換器１１４ｂで蒸発（気化）され、その気化熱で室内熱交換器１１４ｂを通過する空気が冷却され、室内ファン１１８によってかかる冷却空気が室内ユニット１１１外に送出される。一方で、室外ユニット１１０においては、室外熱交換器１１４ａにおいて冷媒が放熱されるため、図６に示す矢印にように、冷却ファン１２０によって系内の加熱空気が室外ユニット１１０外に排出される。
【００４４】
本実施例においては、各熱交換器１１４ａ・１１４ｂによって排出された冷却もしくは加熱空気の送出手段として、各室外ユニット１１０および室内ユニット１１１に、空気送入出用のファン１２１・１２２が配設され、該ファン１２１・１２２は、相互に通風ダクト１２３を介して接続されている。ファン１２１・１２２は、冷暖房装置１００が冷房運転される場合に、ファン１２２によって室内ユニット１１１にて排出される冷却空気を通風ダクト１２３内に吸引し、該ファン１２１によって室外ユニット１１０内に送出させるように、それぞれ駆動される。
【００４５】
すなわち、外気温が高くなると、室外熱交換器１１４ａ等から加熱空気が排出されると、室外ユニット１１０内の温度が上昇してしまう。かかる場合に、室外熱交換器１１４ａ等を冷却ファン１２０によって冷却しても、充分に圧縮冷媒ガスを液化させることができない場合があり、該冷暖房装置１００による冷房効果が減少し、必要電力が極めて大きくなっていた。本実施例における構成とすることによって、室内熱交換器１１４ｂによって充分に冷却された冷却空気を室外ユニット１１０内に送出して、直接に室外熱交換器１１４ａを冷却させることにより、該室外熱交換器１１４ａの冷却効果を向上させて、該冷暖房装置１００の冷房効率を高めることができる。また、コンプレッサ１１３の運転時間を短縮し、その分、必要な電力を減らし、エネルギー消費の少ない温度調整システムを構築することができる。
【００４６】
なお、冷暖房装置１００が暖房運転される場合には、コンプレッサ１１３で圧縮された高温の冷媒ガスが室内熱交換器１１４ｂによって凝縮された後、キャピラリチューブ１１６によって減圧されて室外熱交換器１１４ａに送られるように、前記四方弁１１５が切り替えられる。室内ユニット１１１において、室内熱交換器１１４ｂにおいて冷媒が放熱されるため、室内ファン１１８によって加熱空気が室内に排出されるのである。そして、かかる場合に、前記ファン１２１・１２２は、上述する冷房運転時とは逆回転され、ファン１２１によって室外ユニット１１０にて排出される冷却空気を通風ダクト１２３内に吸引し、該ファン１２２によって室内ユニット１１１内に送出させるように、それぞれ駆動される。そのため、該室内熱交換器１１４ｂの冷却効果を向上させて、該冷暖房装置１００の暖房効率を高めることができる。
【００４７】
なお、室内外の環境温度差や各ユニット１１０・１１１内の温度等をセンサ等によって検知して、ファン１２１・１２２の駆動の停止・開始や、その駆動の方向を自動制御するように構成してもよい。また、通風ダクト１２３は、なるべく環境温度の影響を受けないように、長さが短く、断熱性材料で作製されるのが熱効率の観点からは好ましい。そのためには、室外ユニット１１０および室内ユニット１１１との距離を短くしたり、通風ダクト１２３を家屋の外壁内に施設したりするようにするのがよい。
【００４８】
以上において、本実施例における冷暖房装置１００は、室外ユニット１１０と室内ユニット１１１とがそれぞれ別体として構成されたものであるが、一体型の冷暖房装置においても適用することができる。
【図面の簡単な説明】
【００４９】
【図１】本発明の第一実施例に係る冷蔵庫の全体的な構成を示した斜視図。
【図２】ユニット体の構成を示した斜視図。
【図３】冷蔵庫内の空気の流れを示した上部側断面図。
【図４】ユニット体の空気の流れを示した平面図。
【図５】伝熱部材を配設した冷蔵庫の正面断面図。
【図６】熱源を配置した冷蔵庫内の上部側断面図。
【図７】本発明の第二実施例に係る冷暖房装置の全体的な構成を示した図。
【符号の説明】
【００５０】
１    冷蔵庫
１０    第一筐体
１０ａ    上平面
１１    冷蔵室
１２    冷却ファン
１３    コンプレッサ
１４    コンデンサ
１５    ユニット体
１６    第二筐体
１９    グリル
２３    エバポレータ
２４    冷気循環用ファン
３０    通風孔
【図１】
2005180768.tif 000003
【図２】
2005180768.tif 000004
【図３】
2005180768.tif 000005
【図４】
2005180768.tif 000006
【図５】
2005180768.tif 000007
【図６】
2005180768.tif 000008
【図７】
2005180768.tif 000009